(57)【要約】  本件は、エンジンの清浄さを改善する目的に関し、潤滑剤組成物の質量に対して２〜１２質量％の、１００℃にて２００〜１０００ｃＳＴの粘度を有するエステルの少なくとも１種のベースオイルを含む潤滑剤組成物における使用に関する。【特許請求の範囲】
【請求項１】
エンジンの清浄さを改善するための１００℃にて２００〜１０００ｃＳＴの粘度を有する２〜１２質量％（潤滑剤組成物の質量による）のエステルの少なくとも１種のベースオイルを含む潤滑剤組成物における使用であって、前記エステルはグリセロールエステルではない、使用。
【請求項２】
１００℃における前記エステルの粘度が、２００〜９００ｃＳＴ、好ましくは２００〜８００、より好ましくは２５０〜７００ｃＳＴである、請求項１に記載の使用。
【請求項３】
前記エステルが、潤滑剤組成物の質量により２〜１１質量％、好ましくは３〜１１質量％、より好ましくは３〜１０質量％、いっそうより好ましくは４〜１０質量％の割合で含まれる、請求項１又は２に記載の使用。
【請求項４】
前記エステルを形成するアルコールが、モノ−及び多価アルコール、例えばトリメチロールプロパン、エリトリトール、ペンタエリトリトール、好ましくはペンタエリトリトール、又はトリメチロールプロパンから選択される、請求項１〜３のいずれか一項に記載の使用。
【請求項５】
酸が、酸無水物又は脂肪酸から選択される、請求項３又は４に記載の使用。
【請求項６】
前記酸無水物又は脂肪酸の炭素鎖が、カルボン酸、アミド、尿素、ウレタン、アミン、ポリイソブタジエン又はアルコールから選択される１種又はそれより多くの基によって官能化されている、請求項５に記載の使用。
【請求項７】
前記エンジンが、船舶エンジン、好ましくは２−ストローク船舶エンジンである、請求項１〜６のいずれか一項に記載の使用。
【請求項８】
少なくとも１種のベースオイルと、１００℃にて２００〜１００ｃＳＴの粘度を有する２〜１２質量％（潤滑剤組成物の質量による）のエステルとを含む潤滑剤組成物のエンジンにおける使用を含み、前記エステルはグリセロールエステルではなく、好ましくは請求項２〜７のいずれか一項に記載のエステルである、エンジンの清浄さを改善する方法。
【発明の詳細な説明】
【技術分野】
【０００１】
本発明は、エンジン、特に船舶エンジンの清浄さを改善するための潤滑剤組成物におけるエステルの使用に関する。本発明は、エステルを含む潤滑剤組成物の使用を含む、エンジン、特に船舶エンジンの清浄さを改善する方法にも関する。
【発明を実施するための形態】
【０００２】
海事セクターにおいて、著しい努力は燃料燃焼中に形成される硫酸を中和するための潤滑剤組成物に集中されており、それは、エンジンの部分の腐食摩耗の著しい減少を可能にする。
【０００３】
腐食摩耗低減の課題に対処するために、多数の添加剤が潤滑剤組成物において用いられ、それは、エンジン部、特にクランクケースの清浄さに対して悪影響がある場合がある。実際、これらの添加剤が硫酸に接しており、及び／又はエンジン内に適用された温度及び圧力によるストレスを経験する場合、それらはこれらの部分を詰まらせる堆積物を形成しつつ、部分的に又は全体的に壊れる場合がある。その結果として、形成された堆積物は、エンジン部の増加した磨耗及び急速な目詰り、及び次にはエンジンの耐用年数のより速い短縮を引き起こす。
【０００４】
ＷＯ２０１３／０４５６４８号は、エンジンの清浄さを改善しつつ、燃料消費量の低減を可能にする船舶エンジン用潤滑剤組成物を記載する。これらの組成物は、少なくとも１種のベースオイル、少なくとも１種の洗浄剤、少なくとも１種のオレフィンコポリマー及び少なくとも１種のグリセロールエステルを含む。
【０００５】
しかしながら、エンジンの清浄さの点からさらに高い性能を提供する潤滑剤組成物の提供に興味が残る。
【０００６】
したがって、本発明の第１の目的は、エンジンの清浄さ、好ましくはクランクケースの清浄さを改善するための１００℃にて２００〜１０００ｃＳＴの粘度を有する２〜１２質量％（潤滑剤組成物の質量による）のエステルの少なくとも１種のベースオイルを含む潤滑剤組成物における使用に関する。
【０００７】
本発明の文脈において、エンジンの清浄さの改善は、潤滑剤の熱的安定性の増加によって規定され、それは、エンジン部のコーティングの減少をもたらす。潤滑剤の熱的安定性は以下に記載されるＥＣＢＴ試験によって決定される。エンジンの清浄さの改善は、本発明による潤滑剤組成物において本発明によるエステルがない状態において観察されるものに対するものであることを理解されたい。
【０００８】
驚くべきことに、本発明者らは、１質量％未満のエステル又は１４質量％を超えるエステルで、エンジンの清浄さの改善がなかったことを示した。
【０００９】
好ましくは、エステルは、潤滑剤組成物の質量により２〜１１質量％、好ましくは３〜１１質量％、より好ましくは３〜１０質量％、いっそうより好ましくは４〜１０質量％の割合で含まれる。
【００１０】
好ましくは、標準ＡＳＴＭ  Ｄ４４５に準じて測定された１００℃におけるエステルの粘度は、２００〜９００ｃＳＴ、好ましくは２００〜８００、より好ましくは２５０〜７００ｃＳＴである。
【００１１】
本発明によるエステルは常に、アルコールと酸を反応させることにより得られるエステルであることができる。アルコールはモノアルコール又は多価アルコールであることができ、酸はモノ酸又はポリ酸であることができる。特に、エステルはモノ−、ジ−、トリ−、テトラ−又はペンタエステルから選択されることができる。
【００１２】
好ましくは、アルコールはモノアルコール、ジアルコール、トリアルコール又はテトラアルコールである。
【００１３】
好ましくは、アルコールは１〜３つの炭素原子を含む、より好ましくは３〜２５個の炭素原子、いっそうより好ましくは３〜１８個の炭素原子を含む炭化水素鎖を有する。
【００１４】
「多価アルコール」は、少なくとも２つのヒドロキシル基を有する、好ましくは２〜８つのヒドロキシル基、より好ましくは２〜６つのヒドロキシル基、いっそうより好ましくは２〜４つのヒドロキシル基を含むアルコールを指す。
【００１５】
有利には、多価アルコールはエリトリトール、トリメチロールプロパン及びペンタエリトリトールから、好ましくはトリメチロールプロパン及びペンタエリトリトールから選択される。
【００１６】
有利には、多価アルコールはグリセロールではない。
【００１７】
「ポリ酸」は、少なくとも２つのカルボン酸基を有する、好ましくは２〜６つのカルボン酸基、より好ましくは２〜４つのカルボン酸基を含む酸を指す。
【００１８】
好ましくは、酸は酸無水物又は脂肪酸から選択される。
【００１９】
有利には、酸無水物は、エタン酸無水物、プロパン酸無水物、無水マレイン酸、無水フタル酸、シス−１，２，３，６−テトラヒドロフタル酸無水物及び無水コハク酸から選択される。
【００２０】
さらに有利には、脂肪酸は４〜３６個の炭素原子、好ましくは６〜２４個の炭素原子を含む。これらの脂肪酸は飽和、モノ−、及び／又はポリ不飽和であることができる。
【００２１】
本発明の１つの特定の実施態様によれば、アルコールとの反応に用いられる脂肪酸は、例えば植物オイルからの脂肪酸であり、飽和、モノ−、及び／又はポリ不飽和であることができる。それらは、例えばカプリル酸、ペラルゴン酸、カプリン酸、ウンデシレン酸、ラウリン酸、トリデシル酸、ミリスチン酸、ペンタデシル酸、パルミチン酸、マルガリン酸、ステアリン酸、ノナデシル酸、アラキン酸、ヘンイコシル酸、ベヘン酸、トリコシル酸、リグノセリン酸、ペンタコサン酸、セロチン酸、ヘプタコサン酸、モンタン酸、ノナコサン酸、メリシン酸、ヘントリアコンタン酸、及びラッセル酸、及びこれらの誘導体、又はパルミトレイン酸、オレイン酸、エルカ酸、ネルボン酸、リノール酸、ａ−リノレン酸、ｃ−リノレン酸、ジ−ホモ−ｃ−リノレン酸、アラキドン酸、エイコサペンタエン酸、及びドコヘキサエン酸及びこれらの誘導体等の不飽和酸から選択される。好ましくは、脂肪酸は、コプラ、パーム、オリーブ、ピーナッツ、菜種、ヒマワリ、大豆、キャスター、木材、トウモロコシ、骨髄、ブドウの種、ホホバ、ごま、ナッツ、ヘーゼルナッツ、アーモンド、シアバターノキ、マカダミア、アルファルファ、ライ麦、紅花、ココナッツ、綿の実、亜麻仁油、牛脂又はこれらの任意の混合物等の植物及び動物オイル中に存在するトリグリセリドの加水分解に由来する。天然オイルはある脂肪酸、例えばなたね油、又はオレイン酸ひまわり油のその含有量を富ませるように遺伝子組み換えされていてよい。
【００２２】
本発明の１つの特定の実施態様において、酸無水物又は脂肪酸の炭素鎖は、カルボン酸、アミド、尿素、ウレタン、アミン、ポリイソブタジエン又はアルコールから選択される１つ又はそれより多くの基によって官能化されていてもよい。
【００２３】
本発明によるエステルは、混合エステル、すなわち種々のアルコール及び／又は種々の酸を混合することにより得られるエステルであることができる。
【００２４】
したがって、好ましくは、本発明によるエステルは、上に規定されるようなモノアルコール又は多価アルコールと、上に規定されるようなモノ酸又はポリ酸とを反応させることにより得られる。
【００２５】
好ましくは、本発明によるエステルはグリセロールエステルではない。
【００２６】
好ましくは、潤滑剤組成物は少なくとも１種の洗浄剤をさらに含む。本発明による潤滑剤組成物において用いられる洗浄剤は、当業者によく知られている。
【００２７】
本発明の特定の実施態様において、潤滑剤組成物の配合物において一般に用いられる洗浄剤は、長い脂肪親和性の炭化水素鎖及び親水性の頭を含む典型的なアニオン性組成物である。
【００２８】
組み合わされるカチオンは、典型的にはアルカリ又はアルカリ土類金属の金属カチオンである。
【００２９】
洗浄剤は、好ましくはアルカリ又はアルカリ土類金属のカルボン酸、スルホン酸塩、サリチル酸塩、ナフテン酸塩及びフェネート塩から選択される。
【００３０】
アルカリ及びアルカリ土類金属は、好ましくはカルシウム、マグネシウム、ナトリウム又はバリウムである。
【００３１】
これらの金属塩はほぼ化学量論的量で金属を含有することができる。この場合、それらはある塩基度に寄与するが、洗浄剤は過塩基化ではない、又は「中性」といわれる。これらの「中性の」洗浄剤は、典型的にはＡＳＴＭ  Ｄ２８９６に準じて測定された、１５０ｍｇＫＯＨ／ｇ未満の、又は１００未満、又は８０ｍｇＫＯＨ／ｇ未満のＢＮ（塩基度を特徴づける塩基価）を有する。
【００３２】
この種の「中性の」洗浄剤は、本発明による潤滑剤のＢＮに部分的に寄与する場合がある。例えば、アルカリ及びアルカリ土類金属、例えばカルシウム、ナトリウム、マグネシウム又はバリウムのカルボン酸塩、スルホン酸塩、サリチル酸塩、フェネート又はナフテン酸塩中性洗剤を用いることができる。
【００３３】
金属が過剰（化学量論的量より大きい量）に存在する場合、洗浄剤は「過塩基化」である。そのＢＮは、１５０ｍｇＫＯＨ／ｇ超、典型的には２００〜７００ｍｇＫＯＨ／ｇ、一般に２５０〜４５０ｍｇＫＯＨ／ｇに上昇する。
【００３４】
洗浄剤を過塩基化させる余剰の金属は、オイル不溶性金属塩、例えば炭酸塩、水酸化物、オキサレート、アセテート、グルタミン酸塩、又は好ましくは炭酸塩の形態で存在することができる。
【００３５】
単一の過塩基化洗浄剤において、これらの不溶性塩の金属は油溶性の洗浄剤のものと同じであってよく、それらは異なっていてもよい。好ましくは、それらはカルシウム、マグネシウム、ナトリウム及びバリウムから選択される。
【００３６】
過塩基化洗浄剤は、したがって、油溶性の金属塩の形態で洗浄剤によって潤滑剤組成物中にサスペンションにおいて維持された不溶性金属塩からなるミセルの形態で存在する。
【００３７】
これらのミセルは１種又はそれより多くの洗浄剤によって安定化した１種又はそれより多くの不溶性金属塩を含有することができる。
【００３８】
１種類の溶解性金属塩洗浄剤を含む過塩基化洗浄剤は、後者の洗浄剤の疎水性鎖の性質に従って一般に命名される。
【００３９】
したがって、それらは、洗浄剤がそれぞれカルボン酸塩、フェネート、サリチル酸塩、スルホン酸塩又はナフテン酸塩かどうかに依存して、カルボン酸塩、フェネート、サリチル酸塩、スルホン酸塩又はナフテン酸塩と呼ばれる。
【００４０】
過塩基化洗浄剤は、ミセルが、疎水性鎖の性質の点で異なる洗浄剤の幾つかの種類を含む場合、「混合」とよばれる。
【００４１】
本発明による潤滑剤組成物における使用に関し、油溶性の金属塩は、好ましくはカルシウム、マグネシウム、ナトリウム又はバリウムのカルボン酸塩、フェネート、スルホン酸塩、サリチル酸塩及び混合フェネート−スルホン酸塩洗浄剤及び／又はサリチル酸塩である。
【００４２】
過塩基化された洗浄剤を与える不溶性金属塩は、アルカリ及びアルカリ土類金属炭酸塩、好ましくは炭酸カルシウムである。
【００４３】
本発明による潤滑剤組成物において用いられる過塩基化洗浄剤は、好ましくは炭酸カルシウムで過塩基化されたカルボン酸塩、フェネート、スルホン酸塩、サリチル酸塩、及び混合フェネート−スルホン酸塩−サリチル酸塩洗浄剤である。
【００４４】
本発明によれば、潤滑剤組成物は、特に、次のものから選択されることができる洗浄剤をさらに含むことができる：
−次のものから選択される溶解性脂肪族アミン：
〇 式（Ｉ）の化合物：
Ｒ１−［（ＮＲ２）−Ｒ３］ｍ−ＮＲ４Ｒ５、
（式中、
・Ｒ１は、少なくとも１２個の炭素原子と、任意選択的に窒素、硫黄又は酸素から選択される少なくとも１つのヘテロ原子とを含む、飽和又は不飽和の直鎖又は分岐鎖炭化水素基であり、
・Ｒ２、Ｒ４又はＲ５は、水素原子、又は任意選択的に窒素、硫黄若しくは酸素から選択される少なくとも１つのヘテロ原子を含む、飽和若しくは不飽和の直鎖若しくは分岐鎖炭化水素基を独立して表し、
・Ｒ３は、１つ又はそれより多くの炭素原子と、任意選択的に窒素、硫黄又は酸素、好ましくは酸素から選択される少なくとも１つのヘテロ原子とを含む、飽和又は不飽和の直鎖又は分岐鎖炭化水素基であり、
・ｍは１以上、好ましくは１〜１０、より好ましくは１〜６の整数であり、いっそうより好ましくは１、２、又は３から選択される。）、又は
〇 式（ＩＩＩ）及び／又は（ＩＶ）の１種又はそれより多くのポリアルキルアミンを含む脂肪族ポリアルキルアミンの混合物：
【化１】
2020534404.tif 000002
（式中、
・Ｒは同じか異なり、８〜２２個の炭素原子を含む直鎖又は分岐鎖アルキル基を表し、
・ｎ及びｚは独立して０、１、２、又は３を表し、
・ｚは０超であり、ｏ及びｐは０、１、２、又は３を独立して表し、
ｎ又はｚの少なくとも１つが１以上であるように、混合物は少なくとも３質量％の分岐鎖化合物を含む。）、若しくはこれらの誘導体、又は
〇 式（Ｉ）、（ＩＩＩ）及び／又は（ＩＶ）の脂肪族アミンの混合物、
−金属炭酸塩によって過塩基化されたアルカリ又はアルカリ土類金属に基づいた洗浄剤。
【００４５】
潤滑剤組成物に含まれる式（Ｉ）の脂肪族アミンは、出願人によって出願された、ＷＯ２００９／１５３４５３号及びＷＯ２０１４／１８０８４３号に特に記載されている。
【００４６】
本発明の好ましい実施態様において、式（Ｉ）の脂肪族アミン又は式（ＩＩＩ）及び／若しくは（ＩＶ）の脂肪族アミンの混合物、又は式（Ｉ）、（ＩＩＩ）及び／若しくは（ＩＶ）の脂肪族アミンの混合物は、潤滑剤組成物の全質量の質量により０．１〜１５質量％、好ましくは０．５〜１０質量％、好ましくは０．５〜８質量％、又は３〜１０質量％の量で加えられる。
【００４７】
本発明によれば、「脂肪族アミン」は、飽和又は不飽和の直鎖又は分岐鎖であり、任意選択的に窒素、硫黄及び酸素、好ましくは酸素から選択される少なくとも１つのヘテロ原子を含む、１つ又はそれより多くの炭化水素基を含む式（Ｉ）、（ＩＩＩ）又は（ＩＶ）のアミンを指す。本発明によれば、「幾つかの脂肪族アミン」は、脂肪族アミンの混合物を指し、そのうちの少なくとも１つの脂肪酸は式（Ｉ）、（ＩＩＩ）、及び／又は（ＩＶ）である。
【００４８】
特に、式（Ｉ）、（ＩＩＩ）又は（ＩＶ）の脂肪族アミンは、ＷＯ２０１７／０２１４２６号に記載されたとおりである。
【００４９】
特に、有利には、本発明は、船舶エンジン、特に２−又は４−ストローク船舶エンジンの清浄さを改善することに関する。より具体的には、本発明は、２−ストローク船舶エンジンの清浄さ、特にクランクケースの清浄さを改善することに関する。２−ストロークエンジンについては、潤滑剤は、特にシリンダー又はシステムオイル、好ましくはシリンダーオイルとして用いられる。
【００５０】
本発明の特定の実施態様において、潤滑剤組成物に含まれるベースオイルは、ミネラル、合成、植物オイル、及びこれらの混合物から選択される。
【００５１】
本件において一般に用いられるミネラル又は合成オイルは、以下の表において要約されるＡＰＩ分類において定義されたクラスのうちの１つに属する。
【表１】
2020534404.tif 000003
【００５２】
グループ１のミネラルオイルは、選択されたナフテン酸かパラフィンの粗原料を蒸留し、次いで溶剤抽出、溶媒又は触媒脱蝋、水素化処理、又は水素添加等の方法によりこれらの留出物を精製することにより得ることができる。
【００５３】
グループ２及び３のオイルは、より厳格な精製方法、例えば水素化処理及び水素化分解、水素添加及び触媒脱蝋の組み合わせによって得られる。
【００５４】
グループ４及び５の合成ベースの例としては、ポリ−アルファオレフィン、ポリブテン、ポリイソブテン及びアルキルベンゼンが挙げられる。
【００５５】
これらのベースオイルは、単独で又は混合物において用いることができる。ミネラルオイルは合成オイルと組み合わせることができる。
【００５６】
ディーゼル２−ストローク船舶エンジン用シリンダーオイルは、ＳＡＥ−４０〜ＳＡＥ−６０、一般にＳＡＥ−５０の粘度測定のグレードを有し、それは、１００℃における１６．３〜２１．９ｍｍ２／ｓの動粘度と等価である。
【００５７】
グレード４０オイルは１００℃にて１２．５〜１６．３ｍｍ２／ｓの動粘度を有する。
【００５８】
グレード５０オイルは１００℃にて１６．３〜２１．９ｍｍ２／ｓの動粘度を有する。
【００５９】
グレード６０オイルは、１００℃にて２１．９〜２６．１Ｖの動粘度を有する。
【００６０】
この粘度は、添加剤とベースオイル、例えば、中性溶媒ベース（例えば５００ＮＳ  ｐｒ  ６００ＮＳ）及びブライトストック等のグループ１のミネラルベースを含有するベースオイルとの混合により得ることができる。グレードＳＡＥ−５０と適合する粘度を有するミネラル、合成又は植物ベースの任意の他の組み合わせを、添加剤との混合物において用いることができる。
【００６１】
典型的には、ディーゼル２−ストローク船舶エンジン用の古典的シリンダー潤滑剤配合物は、グレードＳＡＥ４０〜ＳＡＥ６０、好ましくはＳＡＥ５０（ＳＡＥ  Ｊ３００分類による）であり、船舶エンジンでの使用に適合された、少なくとも５０質量％の例えばＡＰＩグループ１のミネラル及び／又は合成起源の潤滑剤ベースオイル、すなわち選択された粗原料を蒸留し、次いで、溶媒抽出、溶媒又は触媒脱蝋、水素化処理、又は水素添加等の方法によりこれらの留出物を精製することによって得られるものを含む。その粘度指数（ＶＩ）は８０〜１２０であり；その硫黄分は０．０３％超であり、その飽和成分は９０％未満である。
【００６２】
本発明の１つの特定の実施態様において、潤滑剤組成物は、高温及び低温条件の両方において組成物の粘度を増加させる働きをする１種又はそれより多くの増粘添加剤、又はＶＩを改善する添加剤をさらに含むことができる。
【００６３】
好ましくは、これらの添加剤は、最も高頻度に低分子量、約２０００  ５０，０００Ｄａ（Ｍｎ）を有するポリマーである。それらは、水素化されているかされていない、ＰＩＢ（約２０００Ｄａ）、ポリアクリレート又はポリメタクリレート（約３０，０００Ｄａ）、オレフィンコポリマー、オレフィン及びアルファオレフィンコポリマー、ＥＰＤＭ、ポリブテン、高分子量ポリ−アルファ−オレフィン（１００℃における粘度＞１５０）、スチレン−オレフィンコポリマーから選択することができる。本発明の特定の実施態様によれば、本発明の潤滑剤組成物に含まれる１種又は複数種のベースオイルは、これらの添加剤で完全に又は部分的に置換されることができる。したがって、ベースオイルの１種又はそれより多くを部分的に又は完全に置換するのに用いられるポリマーは、好ましくは前述のＰＩＢ増粘剤（例えば、名称Ｉｎｄｏｐｏｌ  Ｈ２１００の下で販売されたもの）である。
【００６４】
本発明の特定の実施態様において、潤滑剤組成物は少なくとも１種の耐摩耗性添加剤をさらに含むことができる。好ましくは、耐摩耗性添加剤は亜鉛ジチオホスフェート、すなわちＤＴＰＺｎである。このカテゴリーは、種々のリン、硫黄、窒素、塩素及びホウ素化合物も含む。種々様々の耐摩耗性添加剤があるが、最も広く用いられるカテゴリーは、リン硫黄添加剤、たとえば金属アルキルチオホスフェート、特に亜鉛アルキルチオホスフェート、より具体的には亜鉛ジアルキルジチオホスフェート、すなわちＤＴＰＺｎである。アミンホスフェート、ポリサルファイド、特に硫黄オレフィンも、一般に用いられている耐摩耗性添加剤である。
【００６５】
潤滑剤組成物は、一般に耐磨耗及び極圧窒素及び硫黄添加剤、たとえば金属ジチオカルバメート、特にモリブデンジチオカルバメートをさらに含む。グリセロールエステルも耐摩耗性添加剤である。これらとしては、例えば、モノ−、ジ−、及びトリオレエート、モノパルミテート及びモノミリステートが挙げられる。
【００６６】
本発明の特定の実施態様において、潤滑剤組成物は少なくとも１種の分散剤をさらに含むことができる。分散剤は、特に海洋用途向けの潤滑剤組成物の配合物において用いられるよく知られている添加剤である。その主要な役割は、潤滑剤組成物の中に当初に存在するか、サスペンションにおけるエンジンでのその使用の間にその中に現れる粒子を保持することである。それらは立体障害に作用することによって凝集を防止する。さらに、それらは中和にも相乗効果を有する場合がある。潤滑剤添加剤として用いられる分散剤は、典型的には、一般に５０〜４００個の炭素原子を含有する相対的に長い炭化水素鎖に結合した極性基を含有する。極性基は典型的には少なくとも１つの窒素、酸素又はリン成分を含有する。コハク酸に由来した分散性化合物は、特に潤滑剤添加剤として広く用いられる。特に、無水コハク酸及びアミンを縮合することにより得られるスクシンイミド、並びに無水コハク酸とアルコール又はポリオールとの縮合により得られるコハク酸エステルが用いられる。これらの化合物は、後に種々の化合物、特に硫黄、酸素、ホルムアルデヒド、カルボン酸、及びホウ素又は亜鉛を含有する化合物で処理されて、例えば、ホウ酸化スクシンイミド又は亜鉛ブロックスクシンイミドを生成することができる。アルキル基、ホルムアルデヒド、及び第一級又は第二級アミンで置換されたフェノールの重縮合によって得られるマンニッヒ塩基も、潤滑剤において分散剤として用いられる。ＰＩＢスクシンイミドファミリー、例えばホウ酸化されたか亜鉛でブロックされたものの分散剤を用いることができる。
【００６７】
本発明の特定の実施態様において、潤滑剤組成物はすべての適切な種類の機能性添加剤、例えば、例えば極性ポリマー、たとえばポリメチルシロキサン、ポリアクリレートであることができる洗浄剤の効果を打ち消す消泡添加剤、酸化防止剤、及び／又は防錆添加剤、例えば有機金属若しくはチアジアゾール洗浄剤をさらに含むことができる。これらは当業者に知られている。
【００６８】
本発明によれば、前述の潤滑剤の組成物は、混合の前に別個に取得される化合物を指し；係る化合物は、混合の前後両方で同じ化学形態のままであってもそうでなくてもよいことに留意されたい。好ましくは、別個の化合物の混合により得られる本発明による潤滑剤は、エマルション又はマイクロエマルションの形態ではない。
【００６９】
好ましくは、本発明による組成物のベースオイルはグループ２ベースオイルである。
【００７０】
本発明は、エンジン清浄さを改善するために、少なくとも１種のベースオイルと、ＡＳＴＭ  Ｄ４４５に準じて測定された、１００℃にて１００〜１０００ｃＳＴの粘度を有する２〜１２質量％（潤滑剤組成物の質量による）のエステル化合物とを含む潤滑剤組成物の使用にも関する。エステルの量、エステル、ベースオイル及び潤滑剤組成物、及び任意の添加剤は、上に規定されたとおりである。
【００７１】
本発明は、エンジン清浄さを改善するために、少なくとも１種のベースオイルと、標準ＡＳＴＭ  Ｄ４４５に準じて測定された、１００℃にて１００〜１０００ｃＳＴの粘度を有する２〜１２質量％（潤滑剤組成物の質量による）のエステルとを含む潤滑剤組成物にも関する。エステルの量、エステル、ベースオイル及び潤滑剤組成物、及び任意の添加剤は、上に規定されたとおりである。
【００７２】
ここで本件は、非限定的な例を参照することにより記載される。
【実施例】
【００７３】
例１：本発明による組成物及び比較組成物
表１のエステルは、以下の試験された潤滑剤組成物中で用いられた。
【表２】
2020534404.tif 000004
【００７４】
以下の組成物が調製された（ＣＩ＝本発明による組成物、ＣＣ＝比較組成物）。
【表３】
2020534404.tif 000005
【００７５】
これらの組成物の特性は、以下の表３に記載される。
【表４】
2020534404.tif 000006
【００７６】
４０℃における粘度は標準ＡＳＴＭ  Ｄ７２７９に従って測定される。
１００℃における粘度は標準ＡＳＴＭ  Ｄ７２７９に従って測定される。
ＶＩは粘度指数に対応し、標準ＮＦ  ＩＳＯ  ２９０９に従って計算される。
ＢＮは塩基価に対応し、標準ＡＳＴＭ  Ｄ２８９６に従って測定される。
【００７７】
例２：本発明による潤滑剤組成物の特性の評価
本発明による潤滑剤組成物の特性を評価するために、ＥＣＢＴ試験は行なわれた。
【００７８】
これらの試験は、エンジンの部分上のコーティングの外観のシミュレーションを可能にする。
【００７９】
組成物の耐温度性は、したがってＥＣＢＴ試験によって評価された。この試験の詳細な説明は、ＭＡＲＩＮＥ  ＰＲＯＰＵＬＳＩＯＮ  ＣＯＮＦＥＲＥＮＣＥ  ２０００−アムステルダム−２０００年３月２９〜３０日、Ｊｅａｎ−Ｐｈｉｌｉｐｐｅ  ＲＯＭＡＮによる刊行物「Ｒｅｓｅａｒｃｈ  ａｎｄ  Ｄｅｖｅｌｏｐｍｅｎｔ  ｏｆ  Ｍａｒｉｎｅ  Ｌｕｂｒｉｃａｎｔｓ  ｉｎ  ＥＬＦ  ＡＮＴＡＲ  Ｆｒａｎｃｅ  −  Ｔｈｅ  ｒｅｌｅｖａｎｃｅ  ｏｆ  ｌａｂｏｒａｔｏｒｙ  ｔｅｓｔｓ  ｉｎ  ｓｉｍｕｌａｔｉｎｇ  ｆｉｅｌｄ  ｐｅｒｆｏｒｍａｎｃｅ」において見出すことができる。
【００８０】
結果は、以下の表４に示される。
【００８１】
結果は、本発明による組成物が良好な耐温度性を有し、したがってエンジン清浄さを改善することができることを示す。
【表５】
2020534404.tif 000007
【００８２】
２８０℃においてスコアを決定する場合、表面にコーティングがない場合、スコアは１００である。言いかえれば、スコアが低いほど、表面にあるコーティングは多い。
【００８３】
臨界温度は、表面が５０のスコアでコーティングを有する温度に対応する。
【００８４】
これらの結果は、本発明による粘度を有するエステルが、係るエステルを欠く潤滑剤組成物、及び異なる粘度を有するエステルを含む潤滑剤組成物と比較して、エンジン清浄さの改善を有利に可能にすることを示す。実際、コーティングスコアは、本発明によるエステルで１００に近い。加えて、臨界温度は、本発明によるエステルについてかなり大きい。
【００８５】
これらの結果は、用いられたエステルの量の影響をさらに示す。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
エンジンの清浄さを改善するための１００℃にて２００〜１０００ｃＳＴの粘度を有する２〜１２質量％（潤滑剤組成物の質量による）のエステルの少なくとも１種のベースオイルを含む潤滑剤組成物における使用であって、前記エステルはグリセロールエステルではない、使用。
【請求項２】
１００℃における前記エステルの粘度が、２００〜９００ｃＳＴ、好ましくは２００〜８００、より好ましくは２５０〜７００ｃＳＴである、請求項１に記載の使用。
【請求項３】
前記エステルが、潤滑剤組成物の質量により２〜１１質量％、好ましくは３〜１１質量％、より好ましくは３〜１０質量％、いっそうより好ましくは４〜１０質量％の割合で含まれる、請求項１又は２に記載の使用。
【請求項４】
前記エステルを形成するアルコールが、モノ−及び多価アルコール、例えばトリメチロールプロパン、エリトリトール、ペンタエリトリトール、好ましくはペンタエリトリトール、又はトリメチロールプロパンから選択される、請求項１〜３のいずれか一項に記載の使用。
【請求項５】
酸が、酸無水物又は脂肪酸から選択される、請求項３又は４に記載の使用。
【請求項６】
前記酸無水物又は脂肪酸の炭素鎖が、カルボン酸、アミド、尿素、ウレタン、アミン、ポリイソブタジエン又はアルコールから選択される１種又はそれより多くの基によって官能化されている、請求項５に記載の使用。
【請求項７】
前記エンジンが、船舶エンジン、好ましくは２−ストローク船舶エンジンである、請求項１〜６のいずれか一項に記載の使用。
【請求項８】
少なくとも１種のベースオイルと、１００℃にて２００〜１０００ｃＳＴの粘度を有する２〜１２質量％（潤滑剤組成物の質量による）のエステルとを含む潤滑剤組成物のエンジンにおける使用を含み、前記エステルはグリセロールエステルではなく、好ましくは請求項２〜７のいずれか一項に記載のエステルである、エンジンの清浄さを改善する方法。
【国際調査報告】
2020534404.tif 000008
2020534404.tif 000009
2020534404.tif 000010
2020534404.tif 000011
2020534404.tif 000012
2020534404.tif 000013